(57)【要約】【課題】  本発明は、ユーザの意図するタイミングでチャンネル周波数が自動的に切り換えられるようにする。【解決手段】  本発明は、複数の放送局に対応したチャンネル周波数及び当該チャンネル周波数に対する連続受信時間を予め所定の順番で登録しておき、実際に放送局のチャンネル周波数を受信しているときの連続受信時間の経過を監視し、当該連続受信時間が経過したことを検出したとき、予め登録された順番に従って受信中のチャンネル周波数を次のチャンネル周波数へ自動的に切り換える。【選択図】        図５
2006229343.tif 000002
【特許請求の範囲】
【請求項１】
携帯型ラジオ受信機において、
複数の放送局に対応したチャンネル周波数の放送波を受信するチューナ手段と、
上記複数の放送局に対応したチャンネル周波数及び当該チャンネル周波数に対する連続受信時間を予め所定の順番で登録した記憶手段と、
上記連続受信時間の経過を監視し、当該連続受信時間が経過したことを検出したとき、上記記憶手段に登録された上記順番に従って上記チューナ手段により受信中のチャンネル周波数を次のチャンネル周波数へ自動的に切り換えるチャンネル切換制御手段と
を具えることを特徴とする携帯型ラジオ受信機。
【請求項２】
上記記憶手段には、上記順番とは逆の順番でなる上記チャンネル周波数及び上記連続受信時間についても登録されており、
上記チャンネル切換制御手段は、上記逆の順番に従って次のチャンネル周波数に切り換える
ことを特徴とする請求項１に記載の携帯型ラジオ受信機。
【請求項３】
上記携帯型ラジオ受信機は、
上記チャンネル切換制御手段による切換動作とは別に、上記連続受信時間に拘らず上記次のチャンネル周波数に切り換えるための強制切換ボタンと
を具えることを特徴とする請求項１に記載の携帯型ラジオ受信機。
【請求項４】
上記チャンネル切換制御手段は、上記連続受信時間が経過したことを検出することに加えて、上記チューナ手段における受信レベルと所定の閾値とを比較し、当該受信レベルが当該閾値を下回ったことを検出したとき、上記記憶手段に登録されている上記順番に従って上記チューナ手段により受信中のチャンネル周波数を次のチャンネル周波数へ自動的に切り換える
ことを特徴とする請求項１に記載の携帯型ラジオ受信機。
【請求項５】
上記チャンネル切換制御手段は、上記連続受信時間の経過前に上記受信レベルが上記閾値を下回ったことを検出し、上記記憶手段に登録されている上記順番に従って上記チューナ手段により受信中のチャンネル周波数を次のチャンネル周波数へ自動的に切り換えた後、上記連続受信時間の経過前であれば強制的に元のチャンネル周波数に戻す
ことを特徴とする請求項４に記載の携帯型ラジオ受信機。
【請求項６】
複数の放送局に対応したチャンネル周波数及び当該チャンネル周波数に対する連続受信時間を予め所定の順番で記憶手段に登録する登録ステップと、
上記複数の放送局に対応したチャンネル周波数の放送波を受信する受信ステップと、
上記連続受信時間の経過を監視し、当該連続受信時間が経過したことを検出したとき、上記登録ステップで登録された上記順番に従って受信中のチャンネル周波数を次のチャンネル周波数へ自動的に切り換えるチャンネル切換ステップと
を具えることを特徴とするチャンネル切換方法。
【発明の詳細な説明】
【技術分野】
【０００１】
本発明は、携帯型ラジオ受信機及びチャンネル切換方法に関し、例えば電車や自動車により長距離区間を移動する際に使用される携帯型ラジオ受信機に適用して好適なものである。
【背景技術】
【０００２】
従来、携帯型ラジオ受信機においては、電車や自動車によって通学又は通勤の途中で使用される場合、次第に放送局からの電波が到達しないエリアへ移ると当該放送局からの電波の受信状況が悪化して受信できなくなる。
【０００３】
このような場合、携帯型ラジオ受信機のユーザは、電波の受信状況に優れた他の放送局にチャンネル周波数を切り換えなければならず、その度にチャンネル周波数の切り換えを行うといった煩わしい操作を強いられていた。
【０００４】
このような問題を解消する方法として、放送局から受信する電波の電界強度を検出し、当該電界強度のレベルに基づいてチャンネル周波数を切り換えるラジオ受信機がある（例えば、特許文献１〜３参照）。
【特許文献１】特開昭59-188225号公報
【特許文献２】特開平1-133429号公報
【特許文献３】特開2001-16074公報
【発明の開示】
【発明が解決しようとする課題】
【０００５】
ところでかかる構成のラジオ受信機においては、電界強度のレベルに基づいてチャンネル周波数の切り換えを行っているため、ユーザが所望の番組を聴取している最中に、トンネルに入った場合や、風雨等の発生を原因とする自然環境の変化等によって電界強度のレベルが所定の閾値レベルを下回った場合、ユーザの希望しないタイミングでチャンネル周波数が切り換えられてしまうという問題があった。
【０００６】
本発明は以上の点を考慮してなされたもので、ユーザの意図するタイミングで自動的にチャンネル周波数が切り換えられる携帯型ラジオ受信機及びチャンネル切換方法を提案しようとするものである。
【課題を解決するための手段】
【０００７】
かかる課題を解決するため本発明の携帯型ラジオ受信機においては、複数の放送局に対応したチャンネル周波数の放送波を受信するチューナ手段と、複数の放送局に対応したチャンネル周波数及び当該チャンネル周波数に対する連続受信時間を予め所定の順番で登録した記憶手段と、連続受信時間の経過を監視し、当該連続受信時間が経過したことを検出したとき、記憶手段に登録された順番に従ってチューナ手段により受信中のチャンネル周波数を次のチャンネル周波数へ自動的に切り換えるチャンネル切換制御手段とを設けるようにする。
【０００８】
これにより連続受信時間が経過するまでは現在受信中のチャンネル周波数が次のチャンネル周波数に切り換えられることがないため、ユーザの意図しないタイミングで突然チャンネル周波数が切り換わるといった事態を回避し、当該ユーザが所望する番組を番組終了まで聴取させ続けることができる。
【０００９】
また本発明においては、複数の放送局に対応したチャンネル周波数及び当該チャンネル周波数に対する連続受信時間を予め所定の順番で登録する登録ステップと、複数の放送局に対応したチャンネル周波数の放送波を受信する受信ステップと、連続受信時間の経過を監視し、当該連続受信時間が経過したことを検出したとき、登録ステップで登録された順番に従って受信中のチャンネル周波数を次のチャンネル周波数へ自動的に切り換えるチャンネル切換ステップとを設けるようにする。
【００１０】
これにより連続受信時間が経過するまでは現在受信中のチャンネル周波数が次のチャンネル周波数に切り換えられることがないため、ユーザの意図しないタイミングで突然チャンネル周波数が切り換わるといった事態を回避し、当該ユーザが所望する番組を番組終了まで聴取させ続けることができる。
【発明の効果】
【００１１】
本発明によれば、連続受信時間が経過するまでは現在受信中のチャンネル周波数が次のチャンネル周波数に切り換えられることがないため、ユーザの意図しないタイミングで突然チャンネル周波数が切り換わるといった事態を回避し、当該ユーザが所望する番組を番組終了まで聴取させ続けることができ、かくしてユーザの意図するタイミングでチャンネル周波数が自動的に切り換えられる携帯型ラジオ受信機及びチャンネル切換方法を実現することができる。
【発明を実施するための最良の形態】
【００１２】
以下、図面について、本発明の一実施の形態を詳述する。
【００１３】
（１）携帯型ラジオ受信機の外観構成
図１において、１は全体として本発明の携帯型ラジオ受信機を示し、筐体２の上方にＬＣＤ(Liquid Crystal Display)３、下方にスピーカ４が配置された構成を有している。
【００１４】
この携帯型ラジオ受信機１は、筐体２の上端部右側に電源のＯＮ／ＯＦＦを切り換える電源ボタン５、上端部左側にスピーカ４又はヘッドホンで聴く際の音量を増減する音量調整つまみ６、上端部中央にＡＭ／ＦＭの２バンドをＡＭ→ＦＭ→ＡＭ→ＦＭ……のように切り換えるためのバンド切換ボタン７が設けられている。
【００１５】
また携帯型ラジオ受信機１は、筐体２の左側面に、ヘッドホンジャック８と、ボタン操作をロックして誤操作を防止するためのホールドスイッチ９とが設けられると共に、当該筐体２の右側面に、チャンネル周波数や時刻調整に用いられるアップボタン１０及びダウンボタン１１、長押しによって時計合せモードに移るための時計合せボタン１２が設けられている。
【００１６】
因みに携帯型ラジオ受信機１は、ラジオＯＦＦ状態ではＬＣＤ３に現在時刻を表示し、ラジオＯＮ状態ではＬＣＤ３にチャンネル周波数を表示するようになされているため、ラジオＯＦＦ状態で時計合せボタン１２が長押しされたとき、時計合せモードに移るようになされている。
【００１７】
さらに携帯型ラジオ受信機１は、ＬＣＤ３の上方に、最大５チャンネル分のチャンネル周波数を予め登録しておくためのプリセットメモリーボタン１３Ａ〜１３Ｅが設けられている。
【００１８】
この携帯型ラジオ受信機１では、チャンネル周波数に加え、そのチャンネル周波数で受信する連続受信時間をプリセットメモリーボタン１３Ａ〜１３Ｅに対応付けて登録し得るようになされている。
【００１９】
また携帯型ラジオ受信機１は、当該ＬＣＤ３の右側に、自動的にチャンネル周波数を切り換える自動切換モードにおいて切換対象となるチャンネル周波数を設定する際に用いられるオートチェンジボタン１４、自動切換モードにより最大５チャンネル分まで登録されたチャンネル周波数を昇順に読み出すか又は降順に読み出すかを切り換えるための昇順／降順切換ボタン１５及び自動切換モードのＯＮ／ＯＦＦを切り換えるための自動切換モードＯＮ／ＯＦＦボタン１６が設けられている。
【００２０】
さらに携帯型ラジオ受信機１は、筐体２の右側上部に、自動切換モードによってチャンネル周波数を昇順又は降順に順次切り換えていくなかで、これに反しボタンの押下操作だけで強制的にチャンネル周波数を切り換えるための前後スキップボタン１９が設けられており、自動切換モードであってもユーザの意思によって希望のタイミングで現在のチャンネル周波数を一つ前のチャンネル周波数や、一つ後のチャンネル周波数へ変更し得るようになされている。
【００２１】
（２）携帯型ラジオ受信機の回路構成
図２に示すように携帯型ラジオ受信機１は、ＣＰＵ(Central Processing Unit)構成のマイクロコンピュータ２１が全体を統括制御すると共に、フラッシュメモリ２６に格納された自動切換プログラムに従って後述するチャンネル自動切換処理手順を実行するようになされている。
【００２２】
携帯型ラジオ受信機１のマイクロコンピュータ２１は、アンテナ２２を介して受信した各放送局からの放送波をチューナ２３により選局し、当該選局した放送局からの受信信号Ｓ１をアンプ２４により所定レベルに増幅した後、スピーカ４又はヘッドホンジャック８から出力する。
【００２３】
また携帯型ラジオ受信機１のマイクロコンピュータ２１は、各種操作ボタンからの入力を受け付ける入力インタフェース２５を介して各種命令が与えられ、当該命令に従ってチューナ２３を制御することによりチャンネル切換処理、時計合せ処理、チャンネル周波数の登録処理等の各種処理を実行し、その実行結果をＬＣＤ３に表示するようになされている。
【００２４】
さらに携帯型ラジオ受信機１のマイクロコンピュータ２１は、チューナ２３によって選局した放送局の受信信号Ｓ１の電界強度Ｌ１を監視しており、その電界強度Ｌ１のレベルと所定の閾値レベルとを比較することにより当該受信信号Ｓ１における受信レベルの良否を判断し、その判断結果に基づいてチャンネル周波数を切り換え得るようになされている。
【００２５】
さらに携帯型ラジオ受信機１のマイクロコンピュータ２１は、クロック２７から供給されるシステムクロックに基づいて連続受信時間の経過を判断し、当該連続受信時間の中では、原則として選局中の放送局のチャンネル周波数を維持し、連続受信時間が経過したときに選局中のチャンネル周波数を次のチャンネル周波数へ変更するようになされている。
【００２６】
（３）表示内容
図３に示すように携帯型ラジオ受信機１は、ＬＣＤ３に表示すべき内容として以下のものがある。
【００２７】
具体的にＬＣＤ３は、時刻のＡＭ／ＰＭや、バンドのＡＭ／ＦＭを表示するための時刻・バンド表示エリア３１、時刻又はチャンネル周波数を表示する時刻・チャンネル周波数表示エリア３２、誤操作防止用のホールドスイッチ９がＯＮしていることを示すホールドアイコン３４、電池残量表示アイコン３５、及び本発明における自動切換モードのために用いられる自動切換モード表示エリア３６を有する。
【００２８】
この自動切換モード表示エリア３６では、オートチェンジボタン１４（図１）の押下に応じて点滅するオートチェンジ表示アイコン３７、昇順であることを示す昇順アイコン３８、降順であることを示す降順アイコン３９、受信レベル切換アイコン４０、受信時間切換アイコン４１、順序登録番号表示エリア４２、及びプリセット番号や連続受信時間を設定するための時間表示エリア４３が設けられている。
【００２９】
（４）プリセット登録方法
携帯型ラジオ受信機１では、ユーザが通学時や通勤時に受信する放送局のチャンネル周波数を予め順序付けてプリセット（登録）しておくことが可能であり、そのプリセット登録方法について説明する。
【００３０】
携帯型ラジオ受信機１では、まずユーザが自動切換モードにおいて順序付けて登録することを希望する第１のチャンネル周波数にアップボタン１０又はダウンボタン１１を介して合わせ、この状態でオートチェンジボタン１４が長押しされると、マイクロコンピュータ２１によりＬＣＤ３のオートチェンジ表示アイコン３７（図３）を点滅表示し、順序登録モードに入る。
【００３１】
このときマイクロコンピュータ２１は、順序登録番号表示エリア４２の「Ｎｏ．」及び数字を表す７セグメントを点滅表示し、順序登録モードに入ったことをユーザに目視確認させ得るようになされている。
【００３２】
次に携帯型ラジオ受信機１では、ユーザのアップボタン１０又はダウンボタン１１に対する操作により、順序登録番号表示エリア４２を介して希望の順序となる番号（例えば「Ｐ１」）が選択され、再度オートチェンジボタン１４が押下操作されると、時間表示エリア４３を点滅表示し、連続受信時間の設定をユーザに促すようになされている。
【００３３】
そして携帯型ラジオ受信機１では、ユーザのアップボタン１０又はダウンボタン１１に対する操作により、時間表示エリア４３を介してユーザ希望の連続受信時間（例えば「６０分」）が設定され、再度オートチェンジボタン１４が押下操作されると、希望順序としてポジション番号１すなわち「Ｐ１」において、第１のチャンネル周波数を連続６０分間受信することをフラッシュメモリ２６に記憶してプリセット登録を行う。
【００３４】
以下、同様にして携帯型ラジオ受信機１は、ユーザの操作に応じてポジション番号２すなわち「Ｐ２」以降（ポジション番号５すなわち「Ｐ５」まで）のチャンネル周波数に対する連続受信時間を設定し、フラッシュメモリ２６に記憶することによりプリセット登録処理を完了する。
【００３５】
このときユーザは、通学や通勤のときに携帯型ラジオ受信機１を使用することを前提とした場合、移動区間中に放送局からの電波の受信状況が変化することを考慮したり、移動区間中に時間が経過することを考慮し、ポジション番号１〜５に対して何れの放送局のチャンネル周波数を設定するかを自由に決定すればよい。
【００３６】
（５）モード選択操作
続いて携帯型ラジオ受信機１では、ユーザの自動切換モードＯＮ／ＯＦＦボタン１６に対する押下操作と、昇順／降順切換ボタン１５に対する押下操作とにより、所望パターンの自動切換モードを選択するようになされている。
【００３７】
携帯型ラジオ受信機１は、自動切換モードＯＮ／ＯＦＦボタン１６に対する押下操作によって自動切換モードＯＦＦ状態が選択されると、図４（Ａ）に示すように自動切換モード表示エリア３６のオートチェンジ表示アイコン３７、昇順アイコン３８、降順アイコン３９、受信レベル切換設定アイコン４０及び時間切換設定アイコン４１の表示を全て消すことにより、現在自動切換モードＯＦＦ状態が選択されていることをユーザに認識させる。
【００３８】
また携帯型ラジオ受信機１は、自動切換モードＯＮ／ＯＦＦボタン１６に対する押下操作と、昇順／降順切換ボタン１５に対する押下操作により昇順アイコン３８又は降順アイコン３９が選択されると、以下に示す６種類の自動切換モードを提示するようになされている。
【００３９】
例えば、携帯型ラジオ受信機１は、図４（Ｂ）に示すように昇順でかつ受信信号Ｓ１の受信レベルに基づいてチャンネル周波数を切り換える第１の自動切換モード、図４（Ｃ）に示すように昇順でかつ連続受信時間の経過に基づいてチャンネル周波数を切り換える第２の自動切換モード、図４（Ｄ）に示すように降順でかつ受信信号Ｓ１の受信レベルに基づいてチャンネル周波数を切り換える第３の自動切換モード、図４（Ｅ）に示すように降順でかつ連続受信時間の経過に基づいてチャンネル周波数を切り換える第４の自動切換モード、図４（Ｆ）に示すように昇順でかつ受信信号Ｓ１の受信レベル及び連続受信時間の双方に基づいてチャンネル周波数を切り換える第５の自動切換モード、図４（Ｇ）に示すように降順でかつ受信信号Ｓ１の受信レベル及び連続受信時間の双方に基づいてチャンネル周波数を切り換える第６の自動切換モードを提示し、当該第１の自動切換モード〜第６の自動切換モードの中からユーザ所望の自動切換モードを選択させ得るようになされている。
【００４０】
次に、携帯型ラジオ受信機１において第１の自動切換モード〜第６の自動切換モードの何れかがユーザにより選択され、ユーザのラジオ番組の聴取中にチャンネル周波数を自動的に切り換える本発明のチャンネル自動切換処理手順について、次の図５を用いて説明する。
【００４１】
（６）チャンネル自動切換処理手順
図５に示すように携帯型ラジオ受信機１のマイクロコンピュータ２１は、ルーチンＲＴ１の開始ステップから入って次のステップＳＰ１へ移り、自動切換モード（第１の自動切換モード〜第６の自動切換モードの何れか）がオン状態に設定されているか否かを判定し、否定結果が得られると再度ステップＳＰ１に戻ってオン状態に設定されるまで待ち受けるのに対し、肯定結果が得られると次のステップＳＰ２へ移る。
【００４２】
ステップＳＰ２においてマイクロコンピュータ２１は、自動切換モードの設定が昇順であるか降順であるかを判断し、昇順であればプリセット登録されたときの順序登録Ｎｏ．が最小である放送局のチャンネル周波数を受信し、又は降順であればプリセット登録されたときの順序登録Ｎｏ．が最大である放送局のチャンネル周波数を受信し、次のステップＳＰ３へ移る。
【００４３】
ステップＳＰ３においてマイクロコンピュータ２１は、現在チャンネル周波数を受信中に自動切換モードがオン状態に設定されているか否かを判定する。ここで否定結果が得られると、このことは自動切換モードＯＮ／ＯＦＦボタン１６に対する押下操作により自動切換モードがＯＦＦ状態に設定されたことを表しており、このときマイクロコンピュータ２１は次のステップＳＰ４へ移り、自動切換モードをＯＦＦ状態に設定すると共に、現在受信中のチャンネル周波数を受信レベルや連続受信時間に拘らず継続して受信し、再度ステップＳＰ１に戻る。
【００４４】
これに対してステップＳＰ３で肯定結果が得られると、このことは自動切換モードがＯＮ状態に設定されたままであり、チャンネル自動切換処理手順ＲＴ１を継続することを表しており、このときマイクロコンピュータ２１次のステップＳＰ５へ移る。
【００４５】
ステップＳＰ５においてマイクロコンピュータ２１は、第１の自動切換モードや第３の自動切換モードのように受信レベル判定だけでチャンネル周波数を切り換える受信レベル判定単独モードであるか否かを判定する。
【００４６】
ここで肯定結果が得られると、このことは連続受信時間に拘らず、受信レベルだけに基づいてチャンネル周波数を切り換えるモードであるため、マイクロコンピュータ２１は次のステップＳＰ６へ移る。
【００４７】
ステップＳＰ６においてマイクロコンピュータ２１は、受信レベルと所定の閾値とを比較し、例えば５秒間以上もの時間にわたって当該受信レベルが当該閾値を下回ることにより放送波の受信状態が悪化していると判断した場合には肯定結果を得て次のステップＳＰ７へ移る
【００４８】
このようにマイクロコンピュータ２１は、５秒間以上もの時間にわたって当該受信レベルが当該閾値を下回ることを検出したときに、放送波の受信レベルが悪化していると判断するようにしたことにより、受信レベルが単に一時的な要因で悪化した場合であって継続するものではない場合には、チャンネル周波数を切り換えることがないようになされている。
【００４９】
ステップＳＰ７においてマイクロコンピュータ２１は、現在受信している放送局の受信状態が悪化しているため、当該放送局のチャンネル周波数が予めプリセット登録された最後のポジション番号５すなわち「Ｐ５」に相当するものであるか否かを判定し、否定結果が得られると、次のステップＳＰ８へ移り、昇順又は降順毎に次のポジション番号のチャンネル周波数に切換えて受信し、再度ステップＳＰ３へ戻る。
【００５０】
これに対してステップＳＰ７で肯定結果が得られると、現在受信している放送局のチャンネル周波数が予めプリセット登録された最後のポジション番号５すなわち「Ｐ５」に相当するものであること、すなわちこれ以降は切り換えるべき次のチャンネル周波数が登録されていないことを表しており、このときマイクロコンピュータ２１は当該チャンネル周波数を連続受信時間が経過するまで受信し（すなわち連続受信時間の経過と共に自動的に電源をＯＦＦする）、次のステップＳＰ１４へ移って処理を終了する。
【００５１】
一方、ステップＳＰ６で、当該受信レベルが当該閾値以上であって受信状態が良好であると判断した場合、マイクロコンピュータ２１は再度ステップＳＰ３へ戻り、当該ステップＳＰ３以降の処理を繰り返す。
【００５２】
ところでステップＳＰ５で否定結果が得られると、このとこは受信レベル判定単独モードではないことを表しており、マイクロコンピュータ２１次のステップＳＰ９へ移り、連続受信時間の経過だけを基にチャンネル周波数を切り換える受信時間判定単独モードであるか否かを判定する。
【００５３】
ここで肯定結果が得られるとマイクロコンピュータ２１は次のステップＳＰ１０へ移り、現在受信しているチャンネル周波数の受信時間が予めプリセット登録された連続受信時間を経過したか否かを判定し、肯定結果が得られると次のステップＳＰ７へ移る。
【００５４】
この場合ステップＳＰ７においてマイクロコンピュータ２１は、連続受信時間を経過したので現在受信しているチャンネル周波数が予めプリセット登録された最後のポジション番号５すなわち「Ｐ５」に相当するものであるか否かを判定し、否定結果が得られると、ステップＳＰ８へ移り、昇順又は降順毎に次のポジション番号のチャンネル周波数に切換えて受信し、再度ステップＳＰ３へ戻る。
【００５５】
これに対してステップＳＰ１０で否定結果が得られると、このことは未だ連続受信時間を経過していないことを表しており、このときマイクロコンピュータ２１は再度ステップＳＰ３へ戻る。
【００５６】
一方、ステップＳＰ９で否定結果が得られると、このことは受信レベル及び連続受信時間の双方を基準にチャンネル周波数を切り換える併用モード（すなわち第５の自動切換モード又は第６の自動切換モード）であることを表しており、このときマイクロコンピュータ２１は次のステップＳＰ１１へ移り、併用モードにおけるチャンネル周波数切換処理を開始し、次のステップＳＰ１２へ移る。
【００５７】
ステップＳＰ１２においてマイクロコンピュータ２１は、受信レベルが所定の閾値を下回ることにより受信状態が悪化していると判断した場合には肯定結果を得て次のステップＳＰ７へ移り、当該ステップＳＰ７以降の処理を繰り返す。
【００５８】
これに対し、ステップＳＰ１２で受信レベルが当該閾値以上であり受信状態が良好であると判断した場合、マイクロコンピュータ２１は次のステップＳＰ１３へ移る。
【００５９】
ステップＳＰ１３においてマイクロコンピュータ２１は、現在受信しているチャンネル周波数の受信時間が予めプリセット登録された連続受信時間を経過したか否かを判定し、肯定結果が得られると次のステップＳＰ７へ移り、当該ステップＳＰ７以降の処理を繰り返す。
【００６０】
これに対してステップＳＰ１３で否定結果が得られると、このことは未だ連続受信時間を経過していないこと、すなわち受信レベルが良好のままであり、かつ連続受信時間を経過しておらず、チャンネル周波数を切り換える必要性がないことを表しており、このときマイクロコンピュータ２１は再度ステップＳＰ３へ戻り、上述の処理を繰り返す。
【００６１】
このように携帯型ラジオ受信機１のマイクロコンピュータ２１は、第１の自動切換モード〜第６の自動切換モードの何れに設定された場合であっても、ルーチンＲＴ１のチャンネル自動切換処理手順を実行することにより、第１の自動切換モード〜第６の自動切換モードにそれぞれ応じたチャンネル周波数の切換処理を実行し得るようになされている。
【００６２】
（７）動作及び効果
以上の構成において、携帯型ラジオ受信機１のマイクロコンピュータ２１は、連続受信時間の経過を監視し、当該連続受信時間が経過したことを認識した時点で現在の放送局から次にプリセット登録された放送局のチャンネル周波数に切り換えるようにしたことにより、放送局の番組単位で自動的にチャンネル周波数を切り換えることができる。
【００６３】
これにより、携帯型ラジオ受信機１を使用しているユーザは、通学又は通勤途中で受信中の番組が終了した場合、煩雑なチャンネル切換操作を行うことなく、次に希望する放送局の番組を聴取することができる。
【００６４】
また携帯型ラジオ受信機１のマイクロコンピュータ２１は、受信レベル及び連続受信時間の双方を基準にチャンネル周波数を切り換える併用モードを選択することができるようにしたことにより、連続受信時間の経過前に受信レベルが悪化したときにも受信中のチャンネル周波数から次にプリセット登録された放送局のチャンネル周波数に切り換えることができるため、聴取不可能な状態が続くことを回避することができる。
【００６５】
また携帯型ラジオ受信機１のマイクロコンピュータ２１は、前後スキップボタン１９の押下操作に応じて、現在受信中のチャンネル周波数を一つ前のチャンネル周波数又は一つ後のチャンネル周波数へ強制的に変更することができる。
【００６６】
このためユーザは、例えば携帯型ラジオ受信機１が併用モードに設定されている場合で、ある放送局に対する連続受信時間が経過する前に、電車や自動車がトンネルを通過中に受信レベルが悪化し、チャンネル周波数が切り換えられた場合でも、トンネル通過後に前後スキップボタン１９を押下操作するだけで一つ前のチャンネル周波数に変更することができるので、トンネルに入る前の放送局のチャンネル周波数に簡単に戻すことができる。
【００６７】
さらに携帯型ラジオ受信機１は、第１の自動切換モード〜第６の自動切換モードの中から、昇順と降順とに対応付けられた希望の自動切換モードを任意に選択できるようにしたことにより、ユーザの通学や通勤の行きと帰りに合わせて自動切換モードが選択されれば、そのときのユーザの希望に沿った最適なタイミングでチャンネル周波数を切り換えることができる。
【００６８】
以上の構成によれば、携帯型ラジオ受信機１は、予めプリセット登録した複数のチャンネル周波数を連続受信時間の経過に基づいて順次切り換えることができるため、ユーザに煩雑なチャンネル切換操作を強いることなく、ユーザ所望の番組の放送時間に合わせて自動的にチャンネル周波数を変更し、快適な番組聴取環境をユーザに提供することができる。
【００６９】
（８）他の実施の形態
なお上述の実施の形態においては、携帯型ラジオ受信機１を本発明の適用対象とするようにした場合について述べたが、本発明はこれに限らず、ラジオ受信機能を有する携帯電話機やモバイル式のノートブック型パーソナルコンピュータを本発明の適用対象とするようにしても良い。
【００７０】
また上述の実施の形態においては、前後スキップボタン１９の押下操作に応じて、現在受信中のチャンネル周波数を一つ前のチャンネル周波数又は一つ後のチャンネル周波数へ強制的に変更することができるようにした場合について述べたが、本発明はこれに限らず、併用モードにおいて連続受信時間の経過前に受信レベルが悪化したことにより、次にプリセット登録された放送局のチャンネル周波数に切り換えたときには、前後スキップボタン１９の押下操作に拘らず自動的に一つ前のチャンネル周波数に戻すようにしても良い。
【００７１】
この場合、電車や自動車がトンネルを通過中に受信レベルが悪化し、チャンネル周波数が切り換えられた場合でも、トンネル通過後に前後スキップボタン１９の押下操作なしに一つ前のチャンネル周波数に変更することができるので、ユーザは何ら操作をすることなくトンネル通過後にはトンネルに入る前の放送局の番組を聴取することができる。
【００７２】
さらに上述の実施の形態においては、本発明のチャンネル自動切換処理手順（図５）により、現在受信している放送局のチャンネル周波数が予めプリセット登録された最後のポジション番号５すなわち「Ｐ５」に相当するものであるときには当該チャンネル周波数を連続受信時間が経過するまで受信するようにした場合について述べたが、本発明はこれに限らず、連続受信時間に拘束されることなく当該連続受信時間が経過してもそのまま受信し続けるようにしてもよい。
【００７３】
さらに上述の実施の形態においては、本発明の携帯型ラジオ受信機１をチューナ手段としてのチューナ２３、記憶手段としてのフラッシュメモリ２６及びチャンネル切換制御手段としてのマイクロコンピュータ２１によって構成するようにした場合について述べたが、本発明はこれに限らず、その他種々の構成によって本発明の携帯型ラジオ受信機を構成するようにしてもよい。
【産業上の利用可能性】
【００７４】
本発明の携帯型ラジオ受信機及びチャンネル切換方法は、例えばユーザがラジオ受信機を携帯して通学又は通勤の移動区間中にラジオ番組を快適に聴取する場合に適用することができる。
【図面の簡単な説明】
【００７５】
【図１】携帯型ラジオ受信機の概観構成を示す略線図である。
【図２】携帯型ラジオ受信機の回路構成を示す略線的ブロック図である。
【図３】表示内容を示す略線図である。
【図４】モード選択の説明に供する略線図である。
【図５】チャンネル自動切換処理手順を示すフローチャートである。
【符号の説明】
【００７６】
１……携帯型ラジオ受信機、２……筐体、３……ＬＣＤ、４……スピーカ、１４……オートチェンジボタン、１５……昇順／降順切換ボタン、１６……自動切換モードＯＮ／ＯＦＦボタン、２１……マイクロコンピュータ、２２……アンテナ、２３……チューナ、２４……アンプ、２５……入力インタフェース、２６……フラッシュメモリ、２７……クロック、３６……自動切換表示エリア。
【図１】
2006229343.tif 000003
【図２】
2006229343.tif 000004
【図３】
2006229343.tif 000005
【図４】
2006229343.tif 000006
【図５】
2006229343.tif 000007